(57)【要約】 【課題】ユーザーのグリーン生活を管理する方法およびシステムを提供すること。【解決手段】本発明は、ユーザーのカード媒体を用いて前記ユーザーのグリーン生活を管理するグリーン生活管理システムであって、前記カード媒体のカード媒体情報を読み取るように構成されるカード読み取り端末機（１００）と、前記カード読み取り端末機と通信し、前記カード媒体情報を受信するように構成される管理サーバー（２００）とを含んでなり、前記管理サーバーは、前記ユーザーのエネルギー使用量情報を受信すると、前記エネルギー使用量情報および前記カード媒体情報に基づいてポイントを算出し、該ポイントをポイント管理部（２３０）へ伝送するように構成される第１グリーン生活管理部（２４０）と、前記ユーザーの製品購買リストを受信すると、前記製品購買リストからグリーン製品リストを抽出し、前記グリーン製品リストおよび前記カード媒体情報に基づいてポイントを算出し、該ポイントを前記ポイント管理部へ伝送するように構成される第２グリーン生活管理部（２５０）と、受信されるポイントを前記ユーザーのアカウントに積み立て、前記積み立てられたポイントを前記エネルギー使用量情報および前記グリーン製品リストに基づいてポイントを分類し、前記分類されたポイントに対する内訳を前記ユーザーのユーザー端末機へ伝送するように構成されるポイント管理部（２３０）とを含む、グリーン生活管理システムを提供する。【選択図】図１
2015510185.tif 000002
【特許請求の範囲】
【請求項１】
ユーザーのカード媒体を用いて前記ユーザーのグリーン生活を管理するグリーン生活管理システムであって、
前記カード媒体のカード媒体情報を読み取るように構成されるカード読み取り端末機と、
前記カード読み取り端末機と通信し、前記カード媒体情報を受信するように構成される管理サーバーとを含んでなり、
前記管理サーバーは、
前記ユーザーのエネルギー使用量情報を受信すると、前記エネルギー使用量情報および前記カード媒体情報に基づいてポイントを算出し、該ポイントをポイント管理部へ伝送するように構成される第１グリーン生活管理部と、
前記ユーザーの製品購買リストを受信すると、前記製品購買リストからグリーン製品リストを抽出し、前記グリーン製品リストおよび前記カード媒体情報に基づいてポイントを算出し、該ポイントを前記ポイント管理部へ伝送するように構成される第２グリーン生活管理部と、
受信されるポイントを前記ユーザーのアカウントに積み立て、前記積み立てられたポイントを前記エネルギー使用量情報および前記グリーン製品リストに基づいてポイントを分類し、前記分類されたポイントに対する内訳を前記ユーザーのユーザー端末機へ伝送するように構成されるポイント管理部とを含む、カード媒体を用いたグリーン生活管理システム。
【請求項２】
前記ユーザーのエネルギー使用量を測定し、測定されたエネルギー使用量に対するエネルギー使用量情報を生成するように構成されるエネルギー測定端末機をさらに含む、請求項１に記載のカード媒体を用いたグリーン生活管理システム。
【請求項３】
前記第１グリーン生活管理部は、前記エネルギー使用量情報から基準値および測定値を抽出し、前記基準値および前記測定値に基づいて温室ガス減縮率を算出し、該温室ガス減縮率に基づいてポイントを算出するようにさらに構成される、請求項１に記載のカード媒体を用いたグリーン生活管理システム。
【請求項４】
前記温室ガス減縮率は、
温室ガス減縮率（％）＝（（エネルギー使用基準値−エネルギー使用測定値）／エネルギー使用基準値）＊１００の式で計算され、
前記基準値は、前記ユーザーが第１期間に使用したエネルギー使用量の平均値であり、
前記測定値は、前記ユーザーが前記第２期間に使用したエネルギー使用量の平均値であり、
前記第１および第２期間は温室ガス減縮率を算出する時点から逆算され、前記第２期間は第１期間より短い期間である、請求項３に記載のカード媒体を用いたグリーン生活管理システム。
【請求項５】
前記第１グリーン生活管理部は、前記温室ガス減縮率が大きいほど前記ポイントを大きく算出するようにさらに構成される、請求項３に記載のカード媒体を用いたグリーン生活管理システム。
【請求項６】
前記管理サーバーは、
前記カード媒体の位置情報、前記カード読み取り端末機の位置情報および前記カード読み取り端末機の端末機識別情報のうち少なくとも一つを含む公共部門位置情報を受信すると、前記公共部門位置情報から前記カード媒体が公共部門−自然環境の保護、育成のために指定された場所−の管理のために使用されたか否かを抽出し、前記抽出された情報および前記カード媒体情報に基づいてポイントを算出し、該ポイントを前記ポイント管理部へ伝送するように構成される第３グリーン生活管理部をさらに含む、請求項１に記載のカード媒体を用いたグリーン生活管理システム。
【請求項７】
グリーン生活管理システムで行われる、ユーザーのカード媒体を用いて前記ユーザーのグリーン生活を管理する方法であって、
前記カード媒体のカード媒体情報およびユーザーの要請を受信する段階と、
前記要請を分析する段階と、
前記分析された要請に応じて前記ユーザーのアカウントにポイントを積み立てる段階と、
前記積み立てられたポイントをエネルギー使用量情報およびグリーン製品リストに基づいて分類し、前記分類されたポイントに対する内訳を前記ユーザーのユーザー端末機へ伝送する段階とを含んでなり、
前記ポイントを積み立てる段階は、
前記分析された要請が温室ガスの排出に関する要請の場合、前記ユーザーのエネルギー使用量情報を獲得し、前記エネルギー使用量情報および前記カード媒体情報に基づいてポイントを算出し、該ポイントを積み立てる段階と、
前記分析された要請がグリーン製品の購買に関する要請の場合、前記ユーザーの製品購買リストを獲得し、前記製品購買リストからグリーン製品リストを抽出し、前記グリーン製品リストおよび前記カード媒体情報に基づいてポイントを算出し、該ポイントを積み立てる段階とを含む、グリーン生活管理方法。
【発明の詳細な説明】
【技術分野】
【０００１】
本発明は、ユーザーのグリーン生活を管理する方法およびシステムに係り、より具体的には、ユーザーを容易に識別することが可能な媒体を用いてユーザーのグリーン生活を管理することにより、究極的にはグリーン生活文化が定着されるようにする方法およびシステムに関する。
【背景技術】
【０００２】
最近、環境保護がイシューとなっている。よって、環境保護のための様々な制度が設立および推進されている。その一例として、グリーン生活が強調および奨励されているが、「グリーン生活」とは、気候変化の深刻性を認識し、日常生活で省エネルギーを実践して温室ガスおよび汚染物質の発生を最小化する生活のことをいう。
【０００３】
グリーン生活の一例として、日常生活でグリーン製品を使用する場合を挙げることができるが、「グリーン製品」とは、エネルギーおよび資源の投入と温室ガスおよび汚染物質の発生を最小化する製品のことをいう。
【０００４】
ところが、これらのグリーン製品は生産に比べて消費が少ない場合が多い。例えば、最近、既存の一般車両に比べて有害ガス排出量を減らしたハイブリッド車が開発されて製造されているが、このようなハイブリッド車の開発に製造業者の相当な費用が投資されてハイブリッド車の価格上昇をもたらしたので、消費者はハイブリッド車の購入に負担を感じることになった。このようにグリーン製品は価格が高い場合が多いため、一般消費者はグリーン製品の購買に消極的な場合が多い。
【０００５】
現在、グリーン生活のために提示される方案は、グリーン製品の生産を増やすことに焦点を合わせており、グリーン製品の消費を増やすことについては提示していない。一例として、韓国登録特許第１０−９９２３９８号には、炭素を少なく発生させることが可能な、すなわちグリーン製品として活用できる生分解性の長繊維不織布が開示されているが、この特許は、製造方法または製品それ自体に焦点が合わせられたもの、すなわちグリーン製品の生産に関するものであり、このようなグリーン製品の消費を増やすための方案は提示していない。このように、グリーン製品の生産規模は、引き続き増加（２００４年には１．６兆ウォンであったが、２０１０年には２６兆ウォンの規模に増加）しつつあるが、これに対し、一般消費者がグリーン製品を消費しようとする意志または行動は依然として足りないことが実情である。
【０００６】
また、グリーン生活の別の例として、日常生活で温室ガス排出量を減らす方案があるが、現在施行されている方案は製造業者の温室ガス排出量を制限する方案が大部分である。ところが、実際は、非産業部門が温室ガス排出量の多くの部分を占めており、製造業者だけでなく、非産業部門、すなわち一般消費者の温室ガス排出量の減少のための努力が要求されるが、グリーン生活の実践に対する必要性を感じない一般消費者は温室ガスの減縮を実践する場合が少ない。すなわち、既存のグリーン製品の開発、または製造業者の温室ガス排出量を減らす方案のみでは真正なグリーン生活文化が実践されないという問題点があった。
【０００７】
前述したように、一般消費者は、グリーン生活を実践する必要性を感じておらず、実際にグリーン生活実践方法またはグリーン生活の実践に多くの不便さを感じているので、グリーン生活の実践に消極的になり、グリーン生活文化の定着に至るには多くの問題点があった。よって、グリーン生活を容易に実践することを可能とし且つグリーン生活の実践に対する特典を提供することにより、グリーン生活を奨励する必要がある。
【発明の概要】
【発明が解決しようとする課題】
【０００８】
よって、本発明は、上述したような問題点を解決するためになされたもので、その目的は、一般消費者のグリーン生活を効率良く管理することにある。
【０００９】
本発明の他の目的は、カード媒体を用いて簡便にグリーン生活を実践するようにすることにある。
【００１０】
本発明の別の目的は、カード媒体を用いてグリーン生活消費プラットフォームを提供することにある。
【００１１】
本発明のさらに別の目的は、カード媒体を用いて国民のグリーン製品の愛用およびグリーン生活の促進を実現することにより、低炭素グリーン社会を実現することにある。
【００１２】
本発明のさらに別の目的は、流通業者、製造業者だけでなく、一般消費者もグリーン生活を容易に実践することが可能な方法を提供してグリーン生活文化を定着させることにある。
【００１３】
本発明のさらに別の目的は、グリーン生活を実践すると同時に環境を保護する必要性を喚起させることにある。
【００１４】
本発明のさらに別の目的は、グリーン生活を実践するガイドラインを提示することにある。
【００１５】
本発明のさらに別の目的は、既存のカード媒体に、グリーン生活を実践することが可能な機能を追加することにより、グリーン生活実践の利便性を増大させることにある。
【課題を解決するための手段】
【００１６】
本発明は、グリーン生活を管理する方法およびシステムに関する。
【００１７】
本発明は、ユーザーのカード媒体を用いて前記ユーザーのグリーン生活を管理するグリーン生活管理システムであって、前記カード媒体のカード媒体情報を読み取るように構成されるカード読み取り端末機と、前記カード読み取り端末機と通信し、前記カード媒体情報を受信するように構成される管理サーバーとを含み、前記管理サーバーは、前記ユーザーのエネルギー使用量情報を受信すると、前記エネルギー使用量情報および前記カード媒体情報に基づいてポイントを算出し、該ポイントをポイント管理部へ伝送するように構成される第１グリーン生活管理部と、前記ユーザーの製品購買リストを受信すると、前記製品購買リストからグリーン製品リストを抽出し、前記グリーン製品リストおよび前記カード媒体情報に基づいてポイントを算出し、該ポイントを前記ポイント管理部へ伝送するように構成される第２グリーン生活管理部と、受信されるポイントを前記ユーザーのアカウントに積み立て、前記積み立てられたポイントを前記エネルギー使用量情報および前記グリーン製品リストに基づいてポイントを分類し、前記分類されたポイントに対する内訳を前記ユーザーのユーザー端末機へ伝送するように構成されるポイント管理部とを含む、グリーン生活管理システムを提供する。
【発明の効果】
【００１８】
上述した本発明によれば、一般消費者のグリーン生活を効率良く管理することができる。
【００１９】
また、本発明によれば、カード媒体を用いて簡便にグリーン生活を実践するようにすることができる。
【００２０】
また、本発明によれば、カード媒体を用いてグリーン生活消費プラットフォームを提供するようにすることができる。
【００２１】
また、本発明によれば、カード媒体を用いて国民のグリーン製品の愛用とグリーン生活の促進を実現することにより、低炭素グリーン社会を実現することができる。
また、本発明によれば、流通業者、製造業者だけでなく、一般消費者もグリーン生活を容易に実践することが可能な方法を提供し、グリーン生活の実践に自発的な参加を誘導し、グリーン生活文化を定着させることができる。
【００２２】
また、本発明によれば、グリーン生活を実践すると同時に環境を保護する必要性を喚起させることができる。
【００２３】
また、本発明によれば、グリーン生活を実践するガイドラインを提示することができる。
【００２４】
また、本発明によれば、既存のカード媒体にグリーン生活を実践することが可能な機能を追加することにより、グリーン生活実践の利便性を増大させることができる。
また、本発明によれば、相異なる形態のグリーン生活それぞれに対して支給されるポイントを一元化して管理することができるようにすることにより、グリーン生活の実践を容易にする。
【図面の簡単な説明】
【００２５】
【図１】本発明の一実施形態に係るグリーン生活管理システムである。
【図２】本発明の一実施形態に係る管理サーバーを示す概略ブロック図である。
【図３】本発明の一実施形態に係るグリーン生活管理システムの動作を示すフローチャートである。
【図４】本発明の一実施形態に係るグリーン生活管理システムの動作を示すフローチャートである。
【図５】本発明の一実施形態に係る、温室ガスを管理したときを説明するための図である。
【図６】本発明の一実施形態に係る、グリーン製品を管理したときを説明するための図である。
【図７】本発明の一実施形態に係る、公共部門を管理したときを説明するための図である。
【図８】本発明の一実施形態に係る、積み立てられたポイントを説明するための図である。
【発明を実施するための形態】
【００２６】
本発明の利点、特徴およびそれらの達成方法は、添付図面と共に詳細に後述されている実施形態からさらに明白になるであろう。ところが、本発明は、これらの実施形態に限定されるものではなく、互いに異なる様々な形態で実施できる。但し、本実施形態は、本発明の開示を完全たるものとし、本発明の属する技術分野における通常の知識を有する者に本発明の範疇を完全に知らせるために提供されるものであり、本発明は請求項の範疇によって定義されるだけである。明細書全体において、同一の参照符号は同一の構成要素を示す。
【００２７】
明細書全体において、ある部分がある構成要素を「含む」とするとき、これは、特に反対される記載がない限りは、他の構成要素を除くのではなく、他の構成要素をさらに含むことができることを意味する。
【００２８】
本明細書におけるグリーン生活は、温室ガスの減縮、グリーン製品の購買、グリーン消費、公共部門の利用などを含むことができる。
【００２９】
本発明は、一般消費者のグリーン生活を奨励するために、一般消費者のグリーン生活を効率よく管理する方法およびシステムに関する。
【００３０】
図１は本発明の一実施形態に係るグリーン生活管理システムＳを示すが、本発明は、必ずしもこれに限定されるものではなく、ユーザーを識別することが可能なカード媒体を用いて決済を行うことが可能ないずれの形態のシステムおよび装置にも適用可能である。
【００３１】
図１に示すように、グリーン生活管理システムＳは、カード読み取り端末機１００、管理サーバー２００、エネルギー測定端末機３００、提携社端末機４００およびユーザー端末機５００を含む。カード読み取り端末機１００、管理サーバー２００、エネルギー測定端末機３００、提携社端末機４００およびユーザー端末機５００は、ネットワーク（有線または無線ネットワーク）を介して互いに接続されており、互いに通信可能である。カード読み取り端末機１００、エネルギー測定端末機３００、提携社端末機４００およびユーザー端末機５００は複数個であってもよい。以下、便宜上、端末機は１個であることを仮定し、本発明の一実施形態について述べる。
【００３２】
カード読み取り端末機１００は、カード媒体を登録し、カード媒体を読み取り、カード媒体からカード媒体情報を読み出して管理サーバー２００へ伝送する。ここで、「カード媒体」とは、ユーザーを識別するための媒体であって、例えば、クレジットカード、チェックカード、直払いカードおよびメンバーシップカードであってもよく、或いは、ユーザー端末機に搭載されたモバイルカードであってもよく、ユーザー当たり複数のカード媒体が存在することも可能である。このようなカード媒体はカード媒体情報部（図示せず）を含み、前記カード媒体情報部はカード媒体情報を含むことができる。前記カード媒体情報は、前記カード媒体を識別する情報を含み、例えば、カードの種類（カードユーザーのグリーン生活を管理するカードか否か）、特性、カード発行機関、カード識別番号、カードのユーザー情報（ユーザーの識別子、個人ファイル情報、ユーザーが保有したカード媒体（等）に関する情報など）などを含み、前記カード媒体情報は、カード媒体の位置情報も含むことができる（例えば、カード媒体がユーザー端末機に搭載された場合、前記ユーザー端末機の位置情報をカード媒体の位置情報として設定することができる。）。前記カード媒体情報を格納するカード媒体情報部は、磁気ストライプまたはＩＣチップなどによって実現できる。よって、ユーザーが新規カード媒体の発給を受けるとき、前記新規カード媒体のカード媒体情報を前記新規カード媒体のカード媒体情報部に格納し、或いは前記ユーザーが保有していた既存カード媒体のカード媒体情報部に追加格納することにより、前記ユーザーのグリーン生活をカード媒体を用いて管理することができるようにする。
【００３３】
本発明の一実施形態によれば、カード読み取り端末機１００は、前記カード媒体のカード媒体情報を読み取り、前記カード媒体情報を管理サーバー２００へ伝送し、或いは、前記カード媒体情報から前記カード媒体が前記カード媒体保有者のグリーン生活管理に関連したカード媒体であることを判断し、前記カード媒体のカード媒体情報を管理サーバー２００へ伝送する。管理サーバー２００は、前記カード媒体情報を用いて、ユーザーを識別し前記ユーザーのグリーン生活を管理することができる。
【００３４】
また、カード読み取り端末機１００は、追加情報（例えば、製品購買リスト、カード媒体の位置情報、カード読み取り端末機の位置情報または端末機識別情報など）を、カード媒体情報と共に管理サーバー２００へ伝送することができる。これに関連し、カード読み取り端末機１００は端末機識別情報を持っており、前記端末機識別情報は管理サーバー２００によって管理でき、前記端末機識別情報にマッチングされる位置情報も前記管理サーバー２００によって管理できる。したがって、例えば、ユーザーがカード媒体を用いてカード読み取り端末機にアクセスするとき、前記カード読み取り端末機は前記ユーザーに関連した製品購買リストまたはカード媒体またはカード読み取り端末機の位置などの追加情報を前記カード媒体情報と共に管理サーバー２００へ伝送することができる。
また、カード読み取り端末機１００は、カード媒体がカード読み取り端末機１００にアクセスするとき、前記カード媒体のユーザーから要請を受信した場合、前記カード媒体情報と共に前記要請を管理サーバー２００へ伝送することができる。たとえば、ユーザーがカード媒体を介してカード読み取り端末機にアクセスしながら、グリーン製品に対する購買要請をした場合、前記要請を前記カード媒体のカード媒体情報と共に管理サーバー２００へ伝送することができる。
【００３５】
一方、管理サーバー２００は、ネットワークを介して管理サーバー２００と通信するカード読み取り端末機１００、エネルギー測定端末機３００、提携社端末機４００およびユーザー端末機５００から受信される情報または要請を処理する。このような管理サーバー２００については図２を参照して以下でより詳細に説明する。
【００３６】
一方、エネルギー測定端末機３００は、温室ガス発生量を測定するためのものである。すなわち、人間がエネルギーを使用するときに温室ガスを発生させるということに着目し、エネルギー測定端末機３００は、カード媒体に対応するユーザーのエネルギー使用量、すなわち電気、水道およびガスの使用量を測定することにより、温室ガスの発生量を間接的に測定する。エネルギー測定端末機３００は、例えば、電気計量機、水道計量機、ガス計量機などがある。また、エネルギー測定端末機３００はゴミ発生量も測定することができる。エネルギー測定端末機３００は、測定したエネルギー使用量をエネルギー使用量情報として管理サーバー２００へ伝送することができる。
【００３７】
また、エネルギー測定端末機３００は、ユーザーのエネルギー使用量を測定しながら、前記ユーザーのユーザー情報または前記ユーザーのカード媒体のカード媒体情報を含むことができる。これにより、エネルギー測定端末機は、前記エネルギー使用量情報を前記カード媒体情報（またはユーザー情報）と共に管理サーバー２００へ伝送することができる。すなわち、エネルギー測定端末機３００は、関連ユーザーのエネルギー使用量を測定し、前記ユーザーに対応するカード媒体のカード媒体情報（またはユーザー情報）と共に管理サーバー２００へ、周期的に或いは管理サーバー２００から要請を受信するたびに伝送することにより、管理サーバー２００が前記ユーザーのアカウントに前記エネルギー使用量情報を格納することができるようにする。
【００３８】
一方、提携社端末機４００は、管理サーバー２００にアクセスして前記管理サーバー２００にグリーン消費情報、グリーン製品情報または公共部門情報を登録する。
【００３９】
「提携社」とは、グリーン製品を製作する製造業者、グリーン消費奨励サービスまたは公共部門サービスを提供する流通業者、地方自治団体、公共機関などを意味する。このような提携社は、提携社端末機４００を介して、自分が提供する商品、施設、サービスを管理サーバー２００に登録することができる。
【００４０】
一方、ユーザー端末機５００は、ユーザーがグリーン生活管理システムＳにアクセスするための装置の一切を含み、一般に、電子端末機とされる。例えば、ユーザー端末機５００は、コンソール、携帯電話、パソナールコンピュータ（ＰＣ）、タブレットコンピュータ、移動通信端末機、ノート型コンピュータおよびＰＤＡ（Ｐｅｒｓｏｎａｌ  Ｄｉｇｉｔａｌ  Ａｓｓｉｓｔａｎｔｓ）端末機のいずれかであってもよい。ユーザーは、ユーザー端末機５００を介して、グリーン生活管理システムＳにアクセスして自分のアカウントの内容、たとえば積み立てられたポイントなどに関する情報を確認することができる。
【００４１】
図２は本発明の一実施形態に係る管理サーバー２００を示す概略ブロック図である。
【００４２】
管理サーバー２００は、制御部２１０、ユーザー管理部２２０、ポイント管理部２３０、温室ガス管理部２４０、グリーン製品管理部２５０、公共部門管理部２６０、グリーン消費管理部２７０、付加サービス提供部２８０、グリーン生活追跡部２９０、通信部２９１および格納部２９２を含む。
【００４３】
制御部２１０は、カード読み取り端末機１００から受信された情報に基づいて管理サーバー２００の動作を決定する。すなわち、制御部２１０は、カード読み取り端末機１００からカード媒体情報と共に要請を受信すると、前記カード媒体情報をユーザー管理部２２０へ伝送して前記カード媒体のユーザーのアカウントを識別し、前記要請による動作を処理することができる。
【００４４】
一方、ユーザー管理部２２０は、受信されるカード媒体情報からカード媒体を識別し、前記カード媒体に対応するユーザーを識別し、前記ユーザーのアカウントを管理する。すなわち、ユーザー管理部２２０は、制御部２１０からカード媒体情報を受信すると、前記カード媒体情報からカード媒体を識別する識別子を抽出し、前記識別子に基づいて前記カード媒体に対応するユーザーのアカウントを生成または識別し管理することができる。例えば、ユーザー管理部２２０は、複数のカード媒体が同じアカウント（すなわち、１ユーザー）に対応する場合、前記複数のカード媒体がポイントを統合するように括られていると判断し、前記複数のカード媒体それぞれに対して積立／差引されるポイントが前記アカウントに対応するように管理することができる。
【００４５】
ポイント管理部２３０は、ユーザーに対応するアカウントに積み立てられたポイントを統合的に管理する。ここで、「ポイント」は、ユーザーが自分のカード利用に対してカード会社が支給する対価だけでなく、ユーザーがグリーン生活を実践する様々な方法を介してユーザーに支給される対価であって、例えば、現金、仮想貨幣、割引クーポンなどであってもよい。たとえば、ポイント管理部２３０は、他の構成要素２１０、２２０、２４０、２５０、２６０、２７０、２９０、２９１、２９２から受信されたポイント情報に基づいてユーザーのアカウントにポイントを積み立てることができる。或いは、ユーザー端末機５００から、グリーン製品と共に提供されるクーポンに記載されたシリアルナンバーが入力される場合、ポリント管理部２３０は、前記シリアルナンバーに対応する額数だけのポイントをユーザーのアカウントに積み立てることができる。ポイント管理部２３０は、ポイントを統合的に管理する。
【００４６】
また、ポイント管理部２３０は、決済要請を受ける場合、ポイントを差し引く方式で決済することができる。また、ポイント管理部２３０は、ユーザーのアカウントに格納された個人情報ファイルからユーザーのアカウントを抽出し、前記アカウントに、ポイントに対応する額数だけの現金を支給することができる。
また、ポイント管理部２３０は、ユーザーが反グリーン生活を実践する場合、前記ユーザーのポイントを差し引くことができる。例えば、ユーザーのエネルギー使用量が増加した場合、ユーザーが所定の期間グリーン製品を使用していない場合、或いはユーザーが所定の期間グリーン消費を行っていない場合には、前記ユーザーのポイントを差し引くことができる。
【００４７】
温室ガス管理部（第１グリーン生活管理部）２４０は、ユーザーのエネルギー使用量の減少を誘引するために、エネルギー測定端末機３００から受信したエネルギー使用量情報に基づいて、前記ユーザーに支給するポイントを獲得し、前記ユーザーのアカウントに積み立て、結果としてユーザーの温室ガス発生量の減縮を誘導することができる。この際、温室ガス管理部２４０は、エネルギー測定端末機３００にエネルギー使用量情報を要請することにより、前記エネルギー使用量情報を受信することができ、また、ユーザーがカード媒体を用いるたびに、或いは周期的に、或いはランダムにエネルギー使用量情報を受信することができる。  温室ガス管理部２４０は、ユーザーの温室ガス発生量を管理することにより、前記ユーザーがグリーン生活を実践することができるようにする。すなわち、ユーザーのエネルギー使用量減少を引き起こすために、前記温室ガス管理部２４０は、前記エネルギー測定端末機３００から受信したエネルギー使用量情報に基づいてユーザーにポイントを支給し、その結果としてユーザーの温室ガス発生量の減縮を誘導する。ここで、「温室ガス」は、例えば、二酸化炭素（ＣＯ２）、メタン（ＣＨ４）、亜酸化窒素（Ｎ２Ｏ）、水素フッ化炭素（ＨＦＣｓ）、過フッ化炭素（ＰＦＣｓ）、六フッ化硫黄（ＳＦ６）およびその他の大気中のガス状態物質のうち赤外線輻射熱を吸収または再放出して温室効果を誘発する物質を意味し、エネルギー消費の際に発生する。例えば、蛇口を介して水を使用するとき、前記蛇口から水が出るように動作するためにはポンプなどを動作させる電気エネルギーが必要であり、このような電気エネルギーを発生させるために化石エネルギーを燃やすが、このような化石エネルギーの消費により温室ガスが生成する。よって、温室ガス管理部２４０は、測定されたエネルギー使用量から温室ガス発生量を算出することができる。例えば、電気の場合、１ｋｗ／ｈ（キロワット／時間）当たり４２４ｇの二酸化炭素が発生するので、ユーザーが１時間１０ｋｗ／ｈの電気を使用した場合、前記ユーザーが総４２４０ｇの二酸化炭素を発生させたことが分かる。
【００４８】
すなわち、温室ガス管理部２４０は、エネルギー測定端末機３００から受信したエネルギー使用量情報からユーザーが排出した温室ガス量、すなわち測定値を算出し、算出された測定値を基準値と比較することにより、ユーザーに与えるポイントを算出することができる。ここで、測定値は、ユーザーが現在使用したエネルギー使用量に設定することができるが、ユーザーの持続的な環境保護を誘導するために、好ましくは前記ユーザーが所定の期間使用したエネルギー使用量に設定することができるが、例えば、測定値を去る６ヶ月間のエネルギー使用量の平均値に設定することができる。また、基準値は任意の値に設定することができるが、ユーザーの持続的な環境保護を誘導するために、好ましくは前記ユーザーが所定の期間使用したエネルギー使用量の平均値に設定することができるが、たとえば、去る２年間使用したエネルギー使用量の平均値に設定することができる。温室ガス減縮率の増加のために、基準値を求めるための所定の期間は、好ましくは測定値を求めるための所定の期間より長い（減縮率の算定のためには以前のエネルギー使用量と現在のエネルギー使用量とを対比しなければならない）。基準値に比べて測定値が少ない場合（すなわち、エネルギー使用率を減少させた場合、または温室ガス減縮率を増加させた場合）、温室ガス管理部２４０はエネルギー使用率の減少に対応するポイント情報をポイント管理部２３０へ伝送して前記ユーザーのアカウントに積み立てられるようにする。
【００４９】
また、温室ガス管理部２４０は、温室ガス減縮率が大きいほどポイント支給率を高めて温室ガス発生量を減縮させるための動機を与えることができる。温室ガス管理部２４０は、エネルギー使用量に応じてポイントを支給するのはもとより、例えば、エネルギー使用量が増加した場合には前記ユーザーが保有したポイントを差し引くこともできる。
【００５０】
グリーン製品管理部（第２グリーン生活管理部）２５０は、ユーザーがグリーン製品の消費を増やすことができるようにすることにより、前記ユーザーがグリーン生活を実践することができるようにする。すなわち、グリーン製品管理部（第２グリーン生活管理部）２５０は、ユーザーのグリーン製品の消費を増加させるために、カード媒体に対応するユーザーがグリーン製品を購買するとポイントを与えることができる。すなわち、グリーン製品管理部２５０は、カード読み取り端末機１００からカード媒体情報と共に製品購買リスト（前記カード媒体に対応するユーザーが購買した製品のリスト）を受信すると、前記製品購買リストに含まれたグリーン製品を識別し、前記識別されたグリーン製品それぞれに対応するポイント情報を獲得して適用することにより、ポイントを積み立てるか或いは製品単価に割引を適用することができる。
【００５１】
これに関連し、グリーン製品それぞれに対応するポイント情報は、前記グリーン製品それぞれに対応するグリーン製品情報から獲得可能であり、「グリーン製品情報」とは、グリーン製品に対する諸般製品であって、前記グリーン製品情報は、グリーン製品の名称、識別番号、関連イメージ、単価情報、前記グリーン製品購買時のポイント情報（すなわち、前記グリーン製品を購入するときに購買者に支給される対価、例えば、割引率、ポイント積立率、ポイント積立額などを含む）などを含むことができる。このようなグリーン製品情報は、提携社端末機４００から受信でき、或いはグリーン製品管理部２５０によって生成できる。すなわち、グリーン製品管理部２５０は、提携社端末機４００から受信されたグリーン製品情報を格納することができる。また、グリーン製品管理部２５０は、特定の製品が相対的にエネルギーまたは資源の投入を少なくするか或いは汚染物質の発生を最小化させることができるかについての情報を受信し、前記特定の製品がグリーン製品であるか否かを判断し、グリーン製品として認証する場合、前記特定の製品に対するグリーン製品情報を生成することができる。例えば、グリーン製品管理部２５０は、電気電子製品の場合、使用の際に消耗される電気量に関する情報を受信し、前記消耗される電気量が所定の期間所定の基準以下に消耗される場合にはグリーン製品として認証し、前記認証された電気電子製品に対するグリーン製品情報を生成することができる。また、シャンプーなどの化学物質の構成成分それぞれに対する情報を受信し、前記化学物質に特定の成分が含まれていない場合或いは構成成分それぞれが所定の基準以下に含まれている場合には、前記化学物質をグリーン製品として認証し、前記認証された化学物質に対するグリーン製品情報を生成することができる。
【００５２】
各グリーン製品に対する情報が提携社端末機４００から受信され、各グリーン製品に識別子が与えているから、管理サーバー２００は、製品購買リストを受信すると、前記製品購買リストに含まれた製品の中からグリーン製品を容易に識別することができる。このような識別子は、２次元バーコードやＱＲコードなどに実現されてグリーン製品に付着する。
【００５３】
公共部門管理部（第３グリーン生活管理部）２６０は、ユーザーが公共部門の利用を増やすことができるようにすることにより、ユーザーがグリーン生活を実践することができるようにする。公共部門管理部２６０は、例えば、ユーザーの環境保護の必要性を喚起させるために、ユーザーが公共部門を訪問するとポイントを与えることができる。ここで、「公共部門」とは、自然環境の保護、育成のために指定された場所であって、例えば、国立公園、休養林、自然博物館、植物園などを含み、自然環境を介してのレクリエーションを奨励することが可能な場所、例えば、韓江遊覧船、動物園なども含むことができる。また、「公共部門」は、公共サービスに対する活用度を高めるために地方自治団体または公共機関で提供する施設なども含み、例えば博物館などを含むことができる。
【００５４】
公共部門管理部２６０は、公共部門に位置したカード読み取り端末機１００からカード媒体情報を受信し、カード媒体情報から、前記カード媒体がユーザーのグリーン生活を管理するカード媒体であると認証し、公共部門位置情報（例えば、カード媒体の位置情報、前記カード媒体を読み取るカード読み取り端末機の位置情報またはカード読み取り端末機の識別情報）を受信することができる。前記公共部門位置情報から、前記カード媒体が公共部門の訪問のためのカード媒体であると確認すると、公共部門管理部２６０は、公共部門の単価に割引を適用するか或いはポイントで決済することができるようにし、或いはポイントをユーザーのアカウントに積み立てることができるようにする。ここで、公共部門に対する割引またはポイントに関する情報は、公共部門情報から獲得することができる。「公共部門情報」とは、公共部門に対する諸般情報を意味する。すなわち、公共部門情報は、公共部門の名称、公共部門位置情報、識別番号、関連イメージ、単価情報、前記公共部門利用時のポイント情報（すなわち、前記公共部門を利用するときに利用者に支給される対価、例えば、割引率、ポイント積立率、ポイント積立額などを含む）などを含むことができる。
【００５５】
グリーン消費管理部（第４グリーン生活管理部２７０）は、ユーザーがグリーン製品を利用する以外にも、グリーン消費を可能とすることにより、ユーザーがグリーン生活を実践することができるようにする。
【００５６】
グリーン消費管理部２７０は、例えば、ユーザーが、グリーン消費を奨励する提携業者から購買した飲料を使い捨てコップではなくマグコップ（または個人タンブラー）に入れて持ち帰りながらカード媒体を提示すると、ポイントを与えることができる。また、グリーン消費管理部２７０は、例えば、ユーザーが買い物かごを利用しながらカード媒体を提示すると、ポイントを与えることができる。すなわち、グリーン消費を奨励するサービスを提供する提携業者は、ユーザーがグリーン消費をした場合、提携業者に位置したカード読み取り端末機１００を用いて、前記ユーザーが実践したグリーン消費行為に関する情報とともに、前記ユーザーが保有したカード媒体情報をグリーン消費管理部２７０へ伝送することができる。グリーン消費管理部２７０は、前記受信された情報に基づいて、グリーン消費に対応するポイント積立額をユーザーのアカウントに積み立てるか、或いは特定のサービスまたは商品単価をポイントで決済することができるようにするか、或いは割引を適用することができる。ここで、グリーン消費に対応するポイント情報は、グリーン消費情報から抽出可能である。「グリーン消費情報」とは、提携社がグリーン消費を奨励するサービスを提供する場合の前記グリーン消費に関連した情報であって、グリーン製品に対する諸般情報を除いた、環境（自然）にやさしい消費に対する諸般情報を含む。例えば、グリーン消費情報は、グリーン消費有無（飲料水購買時のマグコップ利用有無、または物件購買時の買い物かご利用有無など）、前記グリーン消費に対応するポイント情報（すなわち、前記グリーン消費行為に対する対価、例えば、ポイント積立額情報、または前記グリーン消費が商品／サービス購買に伴う場合、前記商品／サービス価格に対して適用される割引率またはポイント積立率情報など）などを含むことができる。
【００５７】
付加サービス提供部２８０は、グリーン生活との関連有無を問わず、一般なカードに対して期待されるサービスを提供する。付加サービス提供部２８０は、例えば、前記カード媒体の活用率を高めるためのサービスを提供することができる。すなわち、付加サービス提供部２８０は、カード媒体の活用率を高めることにより、カード媒体を用いたグリーン生活を誘導することができる。
【００５８】
また、付加サービス提供部２８０は、グリーン生活の実践により積み立てられたグリーン生活ポイントと、一般なカード使用により積み立てられたカード使用ポイントとを分類し、前記分類内訳をユーザーに提供することができる。
【００５９】
一方、グリーン生活追跡部２９０は、複数のユーザーが実践したグリーン生活を追跡し、前記グリーン生活を追跡した結果に応じてフィードバックを処理する。
【００６０】
グリーン生活追跡部２９０は、ユーザー管理部２２０によって管理される複数のユーザーのアカウントそれぞれに積み立てられたグリーン生活ポイントの内訳を分析し、前記分析結果データを提供し、かつ前記分析結果データを活用して管理サーバー２００の動作を変換させることができる。すなわち、グリーン生活追跡部２９０は、（管理サーバー２００に登録された全体ユーザーまたは管理サーバー２００に登録された一部のユーザーである）複数のユーザーそれぞれが積み立てたグリーン生活ポイントの内訳を分析することにより、前記複数のユーザーそれぞれがどんなグリーン生活を介してグリーン生活ポイントを積み立てたか否かに対するデータを獲得し、前記データをユーザーが分かるように前記ユーザーのユーザー端末機へ伝送し、或いは前記データに基づいて管理サーバー２００の動作を変換させることができる。
【００６１】
例えば、複数のユーザーそれぞれが積み立てたグリーン生活ポイントの内訳を分析した結果、グリーン製品の使用により累積したグリーン生活ポイントが、他のグリーン生活により累積したグリーン生活ポイントより少ない場合、他のグリーン生活に比べてグリーン製品の使用が低いという分析結果データを獲得することができ、前記データを活用してグリーン製品の使用率を高めるためのフィードバック（例えば、グリーン製品管理部２５０がグリーン製品に対応するグリーン生活ポイント積立額（または積立率、割引率など）を増加させるようにする）を管理サーバー２００が行うようにすることができる。
また、グリーン生活追跡部２９０は、グリーン生活管理のためのカード媒体の利用が発生した位置を追跡および分析し、グリーン生活が盛んに行われた位置や、グリーン生活が相対的に少なく行われた位置などに対する分析を行い、分析結果データを提供し、前記データに基づいて管理サーバー２００の動作を変えることができる。
【００６２】
例えば、グリーン生活追跡部２９０は、グリーン生活のためのカード媒体の利用が、ソウル市の他の区と比較したときに冠岳区（Ｇｗａｎａｋ−ｇｕ）で最も少なく発生した場合、前記冠岳区のユーザーのグリーン生活ポイント積立の内訳から、グリーン生活ポイントが少なく積み立てられた原因（例えば、特定のグリーン生活に対するグリーン生活ポイント積立が他の区と比較したときに著しく低い）を分析し、前記データをユーザーが分かるようにユーザー端末機へ伝送するか、或いは前記データに基づいて管理サーバー２００がフィードバック（前記特定のグリーン生活を奨励するための動作を行う。例えば、前記特定のグリーン生活に対応するグリーン生活ポイント積立額（または積立率、割引率など）を増加させる動作を行う）するようにすることができる。
【００６３】
また、例えば、グリーン生活追跡部２９０は、グリーン生活のためのカード媒体の利用が、他のマーケットと比較したときにＡマーケットで最も少なく発生した場合、前記Ａマーケットでグリーン製品の販売が最も少ないことを推定して前記Ａマーケット管理者のユーザー端末機へ、グリーン製品の販売が低調であることを示すメッセージを伝送するか、或いは前記Ａマーケットからのグリーン製品の購買の際に積み立てられるグリーン生活ポイント積立額を変更するように管理サーバー２００を動作させることができる。
通信部２９１は、管理サーバー２００の動作に必要な通信を行う。通信部２９１は、例えば、管理サーバー２００の各構成要素間の通信を行う。また、通信部２９１は、カード読み取り端末機１００、エネルギー測定端末機３００、提携社端末機４００またはユーザー端末機５００との通信を行うことができる。
【００６４】
格納部２９２は、管理サーバー２００の各構成要素の動作に必要な全ての情報を格納し、前記情報に対する要請を受信した場合に前記情報を伝送する。例えば、格納部２９２は、ユーザー管理部２２０からユーザーのアカウントに対応する情報を格納することができ、カード読み取り端末機の端末機識別情報に対応する前記カード読み取り端末機の位置情報を格納することができる。
【００６５】
図３および図４は本発明の一実施形態に係るグリーン生活管理システムで行われるグリーン生活を管理する方法を示すフローチャートであり、これに関連して図５〜図８と共に叙述する。以下、便宜上、カード媒体がクレジットカードであることを仮定する。
【００６６】
まず、本発明の一実施形態に係る方法は、カードが管理サーバー２００に登録されていることを前提とする。すなわち、カードに対応するユーザーのアカウントが管理サーバー２００に生成している。よって、前記カードのカード媒体情報がカード読み取り端末機１００を介して管理サーバー２００へ伝送されると、管理サーバー２００は、前記カードを識別することができ、前記カードのユーザーのアカウントを識別することができる。
【００６７】
すなわち、管理サーバー２００は、カード媒体情報および要請を受信すると（Ｓ３１０）、前記カード媒体情報に基づいてカード媒体を識別することができる（Ｓ３２０）。もし登録されていないカードの場合、本発明に係る方法のプロセスを終了することができる。前記受信されたカード媒体情報からカードを識別し、前記カードに対応するユーザーのアカウントに対する情報を獲得することができる。その後、受信された要請に対して処理することができる（Ｓ３３０）。前記要請を処理する過程については図４を参照して後述する。
【００６８】
図４に示すように、管理サーバー２００が要請を受信する場合（Ｓ３３０）、前記要請を処理することができる（Ｓ４１０）。この際、管理サーバー２００は、要請を処理するために、前記要請がどんなものであるかを分析し、分析結果に基づいてプロセスを進行することができる（Ｓ４２０）。
【００６９】
もし受信された要請が温室ガス排出に関する要請（例えば、エネルギー使用量に対する決済要請）の場合（Ｓ４３０）、管理サーバー２００は、カードに対応するユーザーが使用したエネルギー使用量情報を受信（または獲得）し（Ｓ４３１）、前記エネルギー使用量情報から測定値を抽出し、前記測定値を基準値と比較して前記測定値が一定の比率以上少ない場合にポイントを積み立てることができる（Ｓ４３３）。
【００７０】
例えば、図５に示すように、温室ガス減縮率に応じて積み立てるポイントに関するテーブル５００を格納しておき、ユーザーの温室ガス減縮率に応じて積み立てられるポイントをテーブル５００から検索して前記ポイントを前記ユーザーのアカウントに支給することができる。この際、減縮率が大きいほど支給されるポイントの額数が大きいが、これにより減縮率を高める動機をユーザーに与えることができる。
【００７１】
温室ガス減縮率は、次の式によって計算できる。
温室ガス減縮率（％）＝（（エネルギー使用基準値−エネルギー使用測定値）／エネルギー使用基準値）＊１００
基準値は、温室ガス減縮率を計算するための基準となる値であって、例えば、任意の集団内の平均エネルギー使用量、またはユーザーの去る所定の期間の平均エネルギー使用量などである。このような基準値は、ユーザーのエネルギー使用量情報、または複数のユーザーのエネルギー使用量情報を用いて計算可能である。一方、測定値は、ユーザーが使用したエネルギーをエネルギー測定端末機３００で測定した値であって、温室ガス減縮率の計算のために、現在時点を基準として一ヶ月に対する測定値になることもあり、或いは複数ヶ月に対する測定値を平均して求めた値になることもある。
【００７２】
例えば、電気使用量に基づいて温室ガス減縮率を計算する場合、図５に示すように、今月（２０１１年１１月）を基準として、ユーザーが去る６ヶ月間使用した電気使用量の平均値５２０を測定値として設定し、今月（２０１１年１１月）を基準として前記ユーザーが去る２年間使用した電気使用量の平均値５１０を基準値として設定し、温室ガス減縮率が８％（＝（（３５０−３２２）／（３５０））＊１００）であることが分かるとともに、前記温室ガス減縮率によるポイント支給額をテーブル５００から獲得すると、前記ユーザーに支給されるポイントは２００００ポイント５３０であることが分かる。その後、ユーザーは、カード読み取り端末機（またはユーザー端末機）を介して、電気料金告知書を受信することができ、自分のエネルギー使用量によるポイント積立を確認することができるため、ユーザーの温室ガス減縮に対する意欲を鼓吹することができる。
【００７３】
このように、ポイント支給が決定されると、カードに対応するアカウントにポイントが積み立てられる。
【００７４】
一方、受信された要請がグリーン製品の管理に関する要請（例えば、グリーン製品決済要請）の場合（Ｓ４４０）、要請に基づくプロセスを処理することができる。すなわち、前記要請と共に追加情報（すなわち、製品購買リスト）を受信（または獲得）すると、前記製品購買リストに含まれた製品の中にグリーン製品があるか否かを判断することができる（Ｓ４４１）。製品購買リスト内にグリーン製品が含まれた場合、前記グリーン製品に対応するポイントを積み立てるか、或いは製品単価に割引率を適用することができる（Ｓ４４２）。例えば、図６に示すように、管理サーバー２００は、提携社端末機４００から受信されたグリーン製品情報を登録したグリーン製品リスト６００を格納しており、ユーザーが製品Ａ、製品Ｂおよび製品Ｃを購買した場合、前記製品Ａ、製品Ｂ、および製品Ｃに対する目録が製品購買リストとして生成し、カード読み取り媒体を介して管理サーバーへ伝送できる。管理サーバーは、前記製品購買リストを受信すると、前記製品購買リスト内にグリーン製品としての製品Ｂがあることを判断し、前記製品Ｂに対する積立ポイントを前記ユーザーのアカウントに積み立てることができる。その後、ユーザーがグリーン製品を購買すると、カード読み取り端末機（またはユーザー端末機）を介して領収証６１０を受信することができ、グリーン製品としての製品Ｂを購買する（６２０）ことにより、一定のポイントが積み立てられたこと（６３０）が分かる。すなわち、グリーン製品購買の際に、それによるポイントを積み立て或いは割引率を適用し、積立／適用結果をユーザーに知らせてユーザーのグリーン製品購買意欲を鼓吹することができる。
【００７５】
一方、受信された要請が公共部門管理に関する要請（例えば、公共部品利用決済要請）の場合（Ｓ４５０）、要請に基づくプロセスを処理することができる。すなわち、ユーザーが公共部門を利用（または訪問）した場合、前記カードのカード媒体情報と共に公共部門位置情報（カード媒体の位置情報、カード読み取り端末機の位置情報またはカード読み取り端末機の識別情報）を受信（または獲得）し、利用された対象が公共不問であるか否かを判断することができる（Ｓ４５１）。提携社端末機４００から受信された公共部門情報を格納したテーブル（図７の７００）を用いて、前記位置情報の公共部門に対応するポイントを積み立てるか、或いは前記公共部門利用単価に割引を適用することができる（Ｓ４４２）。
【００７６】
例えば、図７に示すように、ユーザーが国立公園Ｅを訪問しながら国立公園Ｅに入場するためにカードを使用する場合、管理サーバー２００はカード読み取り端末機１００からカード媒体情報および前記カードが使用された情報、すなわち、位置情報を受信することができる。前記位置情報に基づいて、前記カードが使用された場所が公共部門であるか否かを判断することができ、国立公園Ｅに対応する入場料にテーブル７００に基づいて割引率５０％が適用され、ユーザーには入場料の５０％に相当する４０００ウォン（７２０）のみが請求される。また、公共部門の利用によるポイント積立をユーザーに確認させる（７１０）ことにより、公共部門の利用を鼓吹することができる。これにより、温室ガスを発生させるレクリエーション活動を防止することができる。また、公共部門が自然環境に関する場合、自然環境の重要性を喚起することができるため、グリーン生活実践の重要性を認識させることができる。さらに、自然環境を用いたレクリエーションを楽しむことができるようにして、既存の資源の活用度を高め且つ資源の追加的な消費を防ぐことができる。
【００７７】
一方、受信された要請がグリーン消費管理に関する要請（例えば、グリーン製品購買以外の、グリーン消費に関連した決済要請）の場合（Ｓ４６０）、要請に基づくプロセスを処理することができる。すなわち、前記要請と共にグリーン消費に関する情報（どんなグリーン消費であるか、すなわち、グリーン消費の種類に関する情報）を受信（または獲得）すると、受信された情報に基づいてポイントを積み立てるか、或いは前記要請と共にユーザーが購買することを所望するサービスまたは商品に割引率を適用することができる（Ｓ４６１）。例えば、ユーザーがグリーン消費をした場合、例えば、グリーン消費奨励サービスを登録した商店でユーザーが使い捨てビニール袋の代わりに買い物かごに入購買物件を入れて持ち帰る行為をした場合、このような行為をしたことをカード読み取り媒体を介して管理サーバーへ伝送すると、管理サーバーは、該当グリーン消費に対応するグリーン消費情報から対応する積立ポイントを前記ユーザーのアカウントに積み立て、或いは購買した物品価格に割引率を適用し、積立／適用結果をユーザーに知らせてユーザーのグリーン消費行為に対する意欲を鼓吹することができる。
【００７８】
一方、受信された要請が付加サービスに関する要請の場合（Ｓ４７０）、前記要請に基づいてプロセスを処理する。すなわち、要請された付加サービスによるプロセスを処理するが（Ｓ４７１）。ここで、「付加サービス」とは、カードの使用を高めるためにカードに追加される一般なサービスを意味する。
【００７９】
「付加サービス」は、例えば、カード使用額に応じてポイントの積立率を高めるサービス、または提携された飲食店、映画館または大衆交通（バス、地下鉄など）の利用時の割引またはポイント積立サービスなどであってもよい。また、「付加サービス」は、積み立てられたポイントをユーザーに現金化させてユーザーに支給し、或いは積み立てられたポイントを差し引き、差し引かれたポイント額に対応する商品またはサービスを提供するサービスであってもよい。また、「付加サービス」は、積み立てられたポイントでユーザーが物、例えばグリーン製品を購買することができるようにするサービスであってもよい。また、「付加サービス」は、カードを使用するユーザーがカードを使用することにより得る所得控除額を照会することができるようにするサービスであってもよく、所得控除の際に、カードを使用することにより得る控除額と、グリーン生活を実践することにより得る控除額を別々に照会することができるようにする。また、「付加サービス」は、ユーザーがカードに積み立てられたポイントを照会することができるようにするサービスであってもよい。よって、ユーザーがユーザー端末機を介して管理サーバーにアクセスし、積み立てられたポイントを照会しようとする場合、図８に示すように、ユーザーに積み立てられたポイントの内訳を見せることができる。特に、図８に示すように、ユーザーがカードを使用することにより積み立てたカード使用ポイントと、グリーン生活を実践することにより積み立てたグリーン生活ポイントに対する内訳を分類し、前記分類内訳をユーザーに提供することができ（８１０）、また、各ポイントに対応するグリーン生活を共に提供して（８２０、８３０、８４０）ユーザーのグリーン生活意欲を鼓吹することができる。例えば、ユーザーが電気、ガス、水道などの使用を減らして温室ガスの排出を減縮させた場合に温室減縮率に応じて積み立てられたポイントまたは割引額（８２０）、ユーザーがグリーン製品を購買した場合に前記グリーン製品の購買に応じて積み立てられたポイントまたは割引額（８３０）、およびユーザーが公共部門を訪問することにより積み立てられたポイントまたは割引額（８４０）を見せることにより、グリーン生活による特典（すなわち、累積したポイント）をユーザーが直接体感することができるようにし、結果としてユーザーのグリーン生活意欲を鼓吹する。
【００８０】
また、管理サーバーは、要請を受信する段階（Ｓ４１０）とは別個に、周期的にまたはランダムに、複数のユーザーが実践したグリーン生活を追跡し、前記グリーン生活を追跡した結果に基づくフィードバックを処理することができる。
【００８１】
このように、グリーン生活管理システムは、グリーン生活、すなわち、温室ガス排出量の管理、グリーン製品の管理（すなわち、グリーン製品消費の奨励）および公共部門の管理（すなわち、公共部門利用の奨励）を有機的に管理し、ユーザー自身が実践したグリーン生活を確認することができるようにし、実践したグリーン生活の類型を問わずにポイントを一元化して積み立てることができるようにすることにより、グリーン生活の実践に対する難しさを無くし、グリーン生活の実践に対する動機も与えることができる。
また、グリーン生活管理システムは、グリーン生活を実践することにより積み立てられるポイントの内訳を分類して提供することにより、ユーザーが、どんな生活がグリーン生活であるかを具体的に分かるようにして、グリーン生活実践ガイドを提示することができるようにする。そして、グリーン生活管理システムは、複数のユーザーのグリーン生活を分析することにより、グリーン生活を改善／奨励することができるようにシステムの動作を変換させることができる。
【００８２】
上述の実施形態は、本発明を具体的に説明するための例示に過ぎず、本発明を限定するものではない。  当業者であれば、添付した請求の範囲に開示された本発明の精神と範囲から逸脱することなく、様々な付加、省略、置換およびその他の変更を加え得ることを理解するであろう。本発明は、前述した説明によって限定されず、添付した請求の範囲にのみ限定される。
【産業上の利用可能性】
【００８３】
上述したように、本発明は、一般消費者のグリーン生活を効率良く管理することができるという利点がある。また、本発明は、カード媒体を用いて簡便にグリーン生活を実践するようにすることができるという利点がある。また、本発明は、カード媒体を用いてグリーン生活消費プラットフォームを提供するようにすることができるという利点がある。
【図１】
2015510185.tif 000003
【図２】
2015510185.tif 000004
【図３】
2015510185.tif 000005
【図４】
2015510185.tif 000006
【図５】
2015510185.tif 000007
【図６】
2015510185.tif 000008
【図７】
2015510185.tif 000009
【図８】
2015510185.tif 000010
【国際調査報告】
2015510185.tif 000011
2015510185.tif 000012
2015510185.tif 000013
2015510185.tif 000014